(57)【要約】【課題】桟部材に太陽電池モジュールを設置するにあたり、桟部材の下方から簡単かつ容易に太陽電池モジュールの固定作業を行うことができる太陽電池モジュールの設置構造、太陽電池モジュールの設置方法及び太陽光発電システムを提供する。【解決手段】太陽電池モジュールを桟部材に設置する太陽電池モジュールの設置構造は、枠体が載置される桟部材と、桟部材及び枠体を該桟部材及び該枠体の互いに対向する面とは反対側の面からそれぞれ挟持する第１挟持部材及び第２挟持部材と、第１挟持部材及び第２挟持部材のうち、桟部材側に設けられた第１挟持部材側から、第１挟持部材、桟部材及び枠体を間にして枠体側に設けられた第２挟持部材に締結されることにより、桟部材及び枠体を第１挟持部材及び第２挟持部材の間に挟持して固定する固定部材とを備える。【選択図】図１３
2016067153.tif 000002
【特許請求の範囲】
【請求項１】
太陽電池モジュール本体及び前記太陽電池モジュール本体を保持する枠体を備えた太陽電池モジュールを桟部材に設置する太陽電池モジュールの設置構造であって、
前記枠体が載置される前記桟部材と、
前記桟部材及び前記枠体を該桟部材及び該枠体の互いに対向する面とは反対側の面からそれぞれ挟持する第１挟持部材及び第２挟持部材と、
前記第１挟持部材及び前記第２挟持部材のうち、前記桟部材側に設けられた前記第１挟持部材側から、前記第１挟持部材、前記桟部材及び前記枠体を間にして前記枠体側に設けられた前記第２挟持部材に締結されることにより、前記桟部材及び前記枠体を前記第１挟持部材及び前記第２挟持部材の間に挟持して固定する固定部材と
を備えることを特徴とする太陽電池モジュールの設置構造。
【請求項２】
請求項１に記載の太陽電池モジュールの設置構造であって、
前記第１挟持部材には、前記桟部材に対して前記枠体の位置を位置決めする位置決め部が設けられており、
前記桟部材には、前記位置決め部を貫通する位置決め部貫通孔が設けられており、
前記第１挟持部材は、前記位置決め部が前記桟部材における前記位置決め部貫通孔を貫通して前記枠体に当接することにより、前記桟部材に対する前記枠体の位置を位置決めすることを特徴とする太陽電池モジュールの設置構造。
【請求項３】
請求項１又は請求項２に記載の太陽電池モジュールの設置構造であって、
前記桟部材及び前記枠体を前記太陽電池モジュール本体の裏面側で固定することを特徴とする太陽電池モジュールの設置構造。
【請求項４】
請求項１から請求項３までの何れか１つに記載の太陽電池モジュールの設置構造を用いて前記太陽電池モジュールを設置する太陽電池モジュールの設置方法であって、
前記第１挟持部材を前記桟部材の底面に設ける工程と、
前記枠体を前記桟部材の前記第１挟持部材を設けた部分の上面に載置し、前記第２挟持部材を前記枠体の前記桟部材に載置した部分の上面に設ける工程と、
前記固定部材を前記第１挟持部材側から前記第１挟持部材、前記桟部材及び前記枠体を間にして前記第２挟持部材に締結する工程と
を含むことを特徴とする太陽電池モジュールの設置方法。
【請求項５】
請求項１から請求項３までの何れか１つに記載の太陽電池モジュールの設置構造を用いて前記太陽電池モジュールが設置されていることを特徴とする太陽光発電システム。
【発明の詳細な説明】
【技術分野】
【０００１】
本発明は、太陽電池モジュールを桟部材に設置する太陽電池モジュールの設置構造、太陽電池モジュールの設置方法及び太陽光発電システムに関する。
【背景技術】
【０００２】
近年、地球環境問題への関心が高まりつつある中、自然エネルギーを利用したエネルギー技術が注目されている。その１つとして、太陽エネルギーを利用したシステムの関心が高く、特に光電変換効果を利用して光エネルギーを電気エネルギーに変換する太陽光発電は、クリーンなエネルギーを得る手段として広く行われている。
【０００３】
太陽光発電を行う太陽電池セルは、例えば、単結晶シリコン基板や、多結晶シリコン基板を用いて作製される。単一の太陽電池セルでは発電する電気出力が小さいため、実用的な電気出力が得られるように複数の太陽電池セルを電気的に接続して太陽電池モジュールを構成している。
【０００４】
太陽電池モジュールとしては、太陽電池モジュール本体と太陽電池モジュール本体を保持する枠体とを備えたものがある。
【０００５】
太陽電池モジュール本体は、一般的に、直列及び／又は並列に接続された複数の太陽電池セルを受光側部材（例えば受光面ガラス）と裏側部材（例えば裏面ガラスや裏面バックシート）との間に介在させた構造となっている。なお、太陽電池素子は、例えば、ＥＶＡ（エチレンビニルアセテート樹脂）などの封止樹脂にて封止される。
【０００６】
太陽電池モジュールを保持する枠体としては、太陽電池モジュール本体の受光面の周縁部、側面及び裏面の周縁部を保持する構成のもの（例えば特許文献１，２参照）や、太陽電池モジュール本体の側面及び裏面の周縁部を保持する一方で受光面は保持しない構成のもの（例えば特許文献３参照）がある。
【先行技術文献】
【特許文献】
【０００７】
【特許文献１】特開２０１３−１６１８８５号公報
【特許文献２】特開２０１４−８４５８３号公報
【特許文献３】特開２０１２−９４９５号公報
【特許文献４】特開２００８−２０８５５３号公報
【発明の概要】
【発明が解決しようとする課題】
【０００８】
このような太陽電池モジュールを桟部材に設置する太陽電池モジュールの設置構造においては、通常は、桟部材に太陽電池モジュールを設置するときに、桟部材の上方から太陽電池モジュールの固定作業を行うようになっている（例えば特許文献１〜３参照）。
【０００９】
詳しくは、特許文献１，２に記載の太陽電池モジュールの設置構造は、太陽電池モジュールにおける枠体を一旦桟部材に係止した後、桟部材の上方から桟部材を固定して太陽電池モジュールを桟部材に設置している（特許文献１の図１２等、特許文献２の図１３等参照）。また、特許文献３に記載の太陽電池モジュールの設置構造は、太陽電池モジュールにおける枠体を一旦桟部材に係止した後、桟部材の上方から枠体を固定して太陽電池モジュールを桟部材に設置している（特許文献３の図２等参照）。
【００１０】
ところで、太陽電池モジュールは、例えば、太陽電池モジュールを設置する設置場所によっては（具体的には、積雪量が比較的多い降雪地帯といった設置場所においては積雪を踏まえて）桟部材を固定する土台を高く（例えば作業者の背丈よりも高く）することがある。この場合、太陽電池モジュールを設置するにあたり、桟部材の上方から太陽電池モジュールの固定作業を行うとなると、太陽電池モジュールの設置作業の作業性及び作業効率が悪化する。
【００１１】
一方、特許文献３に記載の太陽電池モジュールの設置構造は、桟部材（傾斜部材）に太陽電池モジュールを設置するにあたり、太陽電池モジュールにおける枠体をそのまま桟部材に固定して太陽電池モジュールを桟部材に設置している（特許文献３の図８等参照）。
【００１２】
このような太陽電池モジュールの設置構造では、太陽電池モジュールにおける枠体をそのまま桟部材に固定するので、太陽電池モジュールの設置構造の簡単化かつ設置作業の容易化を実現させることができるものの、隣り合う太陽電池モジュール間の隙間を少なくする或いは無くすという観点から、太陽電池モジュールを太陽電池モジュール本体の裏面側で固定する場合には、桟部材の下方からの太陽電池モジュールの固定作業を強いられる。
【００１３】
しかしながら、特許文献３に記載の太陽電池モジュールの設置構造は、桟部材の上方から、ボルトが枠体及び桟部材を間にしてナットに螺合されることにより、枠体及び桟部材を固定するようになっており、桟部材の下方からの太陽電池モジュールの固定作業を行う場合には、太陽電池モジュールの設置作業の作業性及び作業効率がよいとは言えない。
【００１４】
そこで、本発明は、桟部材に太陽電池モジュールを設置するにあたり、桟部材の下方から簡単かつ容易に太陽電池モジュールの固定作業を行うことができ、これにより、桟部材の下方から太陽電池モジュールの固定作業を行う場合において、太陽電池モジュールの設置作業の作業性及び作業効率を向上させることが可能な太陽電池モジュールの設置構造、太陽電池モジュールの設置方法及び太陽光発電システムを提供することを目的とする。
【００１５】
なお、本発明に関連する技術として、特許文献２，４は、桟部材の上方から、ボルトが押え部材、横桟及び縦桟における貫通孔を貫通して金具におけるネジ孔に締め付けられることにより、横桟及び縦桟を押え部材及び金具の間に挟持して固定する太陽電池モジュールの設置構造を開示している（特許文献２の図４等、特許文献４の図１１等参照）。
【００１６】
しかしながら、特許文献２，４に記載の太陽電池モジュールの設置構造は、横桟及び縦桟を挟持して固定するものであって、桟部材及び枠体を挟持して固定するものではなく、しかも、桟部材の上方から、ボルトが押え部材、横桟及び縦桟を間にして金具に螺合されるようになっており、桟部材の下方から太陽電池モジュールの固定作業を行う場合には、太陽電池モジュールの設置作業の作業性及び作業効率がよいとは言えない。
【課題を解決するための手段】
【００１７】
本発明は、前記課題を解決するために、次の太陽電池モジュールの設置構造、太陽電池モジュールの設置方法及び太陽光発電システムを提供する。
【００１８】
（１）太陽電池モジュールの設置構造
太陽電池モジュール本体及び前記太陽電池モジュール本体を保持する枠体を備えた太陽電池モジュールを桟部材に設置する太陽電池モジュールの設置構造であって、前記枠体が載置される前記桟部材と、前記桟部材及び前記枠体を該桟部材及び該枠体の互いに対向する面とは反対側の面からそれぞれ挟持する第１挟持部材及び第２挟持部材と、前記第１挟持部材及び前記第２挟持部材のうち、前記桟部材側に設けられた前記第１挟持部材側から、前記第１挟持部材、前記桟部材及び前記枠体を間にして前記枠体側に設けられた前記第２挟持部材に締結されることにより、前記桟部材及び前記枠体を前記第１挟持部材及び前記第２挟持部材の間に挟持して固定する固定部材とを備えることを特徴とする太陽電池モジュールの設置構造。
【００１９】
（２）太陽電池モジュールの設置方法
前記本発明に係る太陽電池モジュールの設置構造を用いて前記太陽電池モジュールを設置する太陽電池モジュールの設置方法であって、前記第１挟持部材を前記桟部材の底面に設ける工程と、前記枠体を前記桟部材の前記第１挟持部材を設けた部分の上面に載置し、前記第２挟持部材を前記枠体の前記桟部材に載置した部分の上面に設ける工程と、前記固定部材を前記第１挟持部材側から前記第１挟持部材、前記桟部材及び前記枠体を間にして前記第２挟持部材に締結する工程とを含むことを特徴とする太陽電池モジュールの設置方法。
【００２０】
（３）太陽光発電システム
前記本発明に係る太陽電池モジュールの設置構造を用いて前記太陽電池モジュールが設置されていることを特徴とする太陽光発電システム。
【００２１】
本発明において、前記第１挟持部材には、前記桟部材に対して前記枠体の位置を位置決めする位置決め部が設けられており、前記桟部材には、前記位置決め部を貫通する位置決め部貫通孔が設けられており、前記第１挟持部材は、前記位置決め部が前記桟部材における前記位置決め部貫通孔を貫通して前記枠体に当接することにより、前記桟部材に対する前記枠体の位置を位置決めする態様を例示できる。
【００２２】
本発明において、前記桟部材には、前記位置決め部の前記位置決め部貫通孔からの落下を防止するための係合部が設けられており、前記第１挟持部材における前記位置決め部には、前記桟部材における前記係合部に係止される係止部が設けられている態様を例示できる。
【００２３】
本発明において、前記固定部材は、雄ネジ部を有し、前記第１挟持部材、前記桟部材及び前記枠体には、何れも前記固定部材における前記雄ネジ部を貫通する雄ネジ部貫通孔が設けられており、前記第２挟持部材には、前記固定部材における前記雄ネジ部と螺合する雌ネジ孔が設けられており、前記固定部材は、前記第１挟持部材側から、前記雄ネジ部が前記第１挟持部材、前記桟部材及び前記枠体における前記雄ネジ部貫通孔を貫通して前記第２挟持部材における前記雌ネジ孔に締め付けられることにより、前記桟部材及び前記枠体を前記第１挟持部材及び前記第２挟持部材の間に挟持して固定する態様を例示できる。
【００２４】
本発明において、前記第１挟持部材には、前記桟部材に対して前記固定部材における前記雄ネジ部の回転方向における前記枠体の位置を位置決めする位置決め部が設けられており、前記桟部材には、前記位置決め部を貫通する位置決め部貫通孔が設けられており、前記第１挟持部材は、前記位置決め部が前記桟部材における前記位置決め部貫通孔を貫通して前記枠体に当接することにより、前記桟部材に対する前記回転方向における前記枠体の位置を位置決めする態様を例示できる。
【００２５】
本発明において、前記第２挟持部材には、前記雌ネジ孔が前記固定部材における前記雄ネジ部と螺合することにより該第２挟持部材の該雄ネジ部との共回りによる回転を規制する規制部が設けられている態様を例示できる。
【００２６】
本発明において、前記第２挟持部材における前記規制部は、前記第１挟持部材における前記位置決め部に係止される態様を例示できる。
【００２７】
本発明において、前記桟部材を保持する保持部が設けられている態様を例示できる。
【００２８】
本発明において、前記太陽電池モジュールを複数並設する構成とされており、前記第１挟持部材は、隣り合う２つの前記太陽電池モジュールにおける隣り合う２つの前記枠体に前記桟部材を間にして跨がる単一の挟持部材とされており、前記第２挟持部材は、隣り合う２つの前記太陽電池モジュールにおける隣り合う２つの前記枠体にそれぞれ設けられる２つの挟持部材とされており、前記固定部材は、単一の前記第１挟持部材側から、単一の前記第１挟持部材、前記桟部材及び隣り合う２つの前記枠体を間にして２つの前記第２挟持部材にそれぞれ締結されることにより、前記桟部材及び隣り合う２つの前記枠体を単一の前記第１挟持部材及び２つの前記第２挟持部材の間にそれぞれ挟持して固定する２つの固定部材とされている態様を例示できる。
【００２９】
本発明において、前記枠体は、前記太陽電池モジュール本体を支持する第１枠部と、前記第１枠部を支持する第２枠部とを有し、前記第１枠部は、前記太陽電池モジュール本体の側面及び裏面の少なくとも一部を保持する一方で前記太陽電池モジュール本体の受光面を保持しないように前記太陽電池モジュール本体を支持し、前記固定部材は、前記第１挟持部材側から、前記第１挟持部材、前記桟部材及び前記枠体における前記第２枠部を間にして前記第２挟持部材に締結されることにより、前記桟部材及び前記枠体における前記第２枠部を前記第１挟持部材及び前記第２挟持部材の間に挟持して固定する態様を例示できる。
【００３０】
本発明において、前記桟部材及び前記枠体を前記太陽電池モジュール本体の裏面側で固定する態様を例示できる。
【発明の効果】
【００３１】
本発明によると、桟部材に太陽電池モジュールを設置するにあたり、桟部材の下方から簡単かつ容易に太陽電池モジュールの固定作業を行うことができ、これにより、桟部材の下方から太陽電池モジュールの固定作業を行う場合において、太陽電池モジュールの設置作業の作業性及び作業効率を向上させることが可能となる。
【図面の簡単な説明】
【００３２】
【図１】本発明の実施形態に係る太陽光発電システムの全体構成を概略的に示す斜視図である。
【図２】図１に示す太陽光発電システムの正面図である。
【図３】図１に示す太陽光発電システムの背面図である。
【図４】図１に示す太陽光発電システムの側面図である。
【図５】図１に示す太陽光発電システムにおいて、太陽電池モジュールを設置する架台であって、土台及び土台に固定した桟部材を備えた架台示す斜視図である。
【図６】図１から図４に示す太陽電池モジュールを概略的に示す斜視図である。
【図７】図６に示す太陽電池モジュールの分解斜視図である。
【図８】図６に示す太陽電池モジュールのＡ−Ａ線に沿った概略断面図であって、太陽電池モジュール本体と左枠及び右枠との関係を示す図である。
【図９】図６に示す太陽電池モジュールのＢ−Ｂ線に沿った概略断面図であって、太陽電池モジュール本体と上枠及び下枠との関係を示す図である。
【図１０】本実施の形態に係る太陽電池モジュールの設置構造を斜め上方から視た示す斜視図である。
【図１１】図１０に示す太陽電池モジュールの設置構造を示す分解斜視図である。
【図１２】図１０に示す太陽電池モジュールの設置構造の一部断面を含む側面図である。
【図１３】図１０に示す太陽電池モジュールの設置構造を斜め下方から視た斜視図である。
【図１４】隣り合う太陽電池モジュールの設置構造の一部断面を含む側面図である。
【図１５】本実施の形態に係る太陽電池モジュールの設置構造を構成する第１挟持部材を示す図であって、（ａ）は、第１挟持部材を平面側から視た斜視図であり、（ｂ）は、第１挟持部材を底面側から視た斜視図である。
【図１６】本実施の形態に係る太陽電池モジュールの設置構造を構成する第１挟持部材を示す図であって、（ａ）は、第１挟持部材の平面図であり、（ｂ）は、第１挟持部材の正面図であり、（ｃ）は、第１挟持部材の底面図であり、（ｄ）は、第１挟持部材の側面図である。
【図１７】本実施の形態に係る太陽電池モジュールの設置構造を構成する第２挟持部材を示す図であって、（ａ）は、第２挟持部材を平面側から視た斜視図であり、（ｂ）は、第２挟持部材を底面側から視た斜視図である。
【図１８】本実施の形態に係る太陽電池モジュールの設置構造を構成する第２挟持部材を示す図であって、（ａ）は、第２挟持部材の平面図であり、（ｂ）は、第２挟持部材の正面図であり、（ｃ）は、第２挟持部材の底面図であり、（ｄ）は、第２挟持部材の側面図である。
【図１９】本実施の形態に係る太陽電池モジュールの設置方法の第１工程を示す斜視図である。
【図２０】本実施の形態に係る太陽電池モジュールの設置方法の第２工程を示す斜視図である。
【図２１】本実施の形態に係る太陽電池モジュールの設置方法の第３工程を示す斜視図である。
【図２２】桟部材を左右方向に平行又は略平行に配設し、太陽電池モジュールの設置構造で用いられる枠体を左枠及び右枠とした場合での隣り合う太陽電池モジュールの設置構造の一部断面を含む側面図である。
【図２３】上枠及び下枠が太陽電池モジュール本体の受光面を保持する場合での隣り合う太陽電池モジュールの設置構造の一部断面を含む側面図である。
【発明を実施するための形態】
【００３３】
以下、本発明に係る実施の形態について図面を参照しながら説明する。
【００３４】
＜太陽光発電システムについて＞
まず、本発明の実施形態に係る太陽光発電システム５００について図１から図５を参照しながら以下に説明する。
【００３５】
図１は、本発明の実施形態に係る太陽光発電システム５００の全体構成を概略的に示す斜視図である。図２は、図１に示す太陽光発電システム５００の正面図である。図３は、図１に示す太陽光発電システム５００の背面図である。図４は、図１に示す太陽光発電システム５００の側面図である。また、図５は、図１に示す太陽光発電システム５００において、太陽電池モジュール１００を設置する架台４００であって、土台２００及び土台２００に固定した桟部材３００を備えた架台４００示す斜視図である。
【００３６】
ここで、正面（受光面）から向かって左右方向をＸとし、前後方向をＹとし、上下方向をＺとし、桟部材３００の傾斜方向をＷとする。また、太陽電池モジュール１００の長手方向をＮとし、太陽電池モジュール１００の短手方向をＴとする。
【００３７】
図１に示す太陽光発電システム５００は、例えば、ソーラー発電所として利用可能な構成とされている。
【００３８】
太陽光発電システム５００は、太陽電池モジュール１００（図１から図４参照）と、太陽電池モジュール１００を傾斜させた状態で支持する架台４００とを備えている。
【００３９】
太陽電池モジュール１００は、架台４００に対して、傾斜方向Ｗにおいて縦にｍ段（ｍは１又は２以上の整数、この例ではｍ＝３）、左右方向Ｘにおいて横にｎ列（ｎは１又は２以上の整数、この例ではｎ＝７）のマトリクス状に並べられてｍ段×ｎ列に設けられている（図１から図３参照）。
【００４０】
（架台）
架台４００は、設置面（例えば地面）に固定される土台２００と、土台２００に支持される一方で太陽電池モジュール１００を傾斜させた状態で固定する桟部材３００（この例では縦桟）とを備えている。
【００４１】
土台２００は、太陽電池モジュール１００の高さ位置を規定する嵩上部２１０と、嵩上部２１０上に設けられて太陽電池モジュール１００の傾斜姿勢を規定する傾斜部２２０（図１、図３、図４及び図５参照）とを備えている。
【００４２】
嵩上部２１０は、傾斜部２２０を支持する支持台２１１と、支持台２１１を支持する脚部２１２とを備えている。
【００４３】
支持台２１１は、傾斜部２２０の前側及び後側を支持している（図４及び図５参照）。支持台２１１は、左右方向Ｘに延びている。
【００４４】
脚部２１２は、支持台２１１の前側を支持する前側脚部２１２ａ（図１、図２、図４及び図５参照）と、支持台２１１の後側を支持する後側脚部２１２ｂ（図１、図３、図４及び図５参照）とを備えている。
【００４５】
詳しくは、支持台２１１は、傾斜部２２０の前側部を支持する前側支持レール２１１ａ（図１、図２及び図５参照）と、傾斜部２２０の後側部を支持する後側支持レール２１１ｂ（図１、図３及び図５参照）と、前側支持レール２１１ａ及び後側支持レール２１１ｂの左右方向Ｘの一方端（この例では左端）を連結する一方端連結レール２１１ｃ（図２、図３及び図５参照）と、前側支持レール２１１ａ及び後側支持レール２１１ｂの左右方向Ｘの他方端（この例では右端）を連結する他方端連結レール２１１ｄとを備えている。支持台２１１は、前側支持レール２１１ａ、後側支持レール２１１ｂ、一方端連結レール２１１ｃ及び他方端連結レール２１１ｄにより平面視で四角形状形成したものとされており、前側支持レール２１１ａは、傾斜部２２０の前側部を支持し、後側支持レール２１１ｂは、傾斜部２２０の後側部を支持している。
【００４６】
また、支持台２１１は、前側支持レール２１１ａ及び後側支持レール２１１ｂの左右方向Ｘにおける中間部分を連結する中間連結レール２１１ｅ（図２、図３及び図５参照）をさらに備えている。この例では、中間連結レール２１１ｅは、前側支持レール２１１ａ及び後側支持レール２１１ｂの隣り合う太陽電池モジュール１００，１００間に設けられている。
【００４７】
前側脚部２１２ａ及び後側脚部２１２ｂは、支持台２１１の左右方向Ｘにおける両端部を支持する端部レールと、支持台２１１の左右方向Ｘにおける中間部分を支持する中間部レールとで構成されている。この例では、前側脚部２１２ａ及び後側脚部２１２ｂにおける中間部レールは、支持台２１１の隣り合う太陽電池モジュール１００，１００間に設けられている。
【００４８】
支持台２１１の左右方向Ｘにおける両端部のうち何れか一方（この例では右側端部）を支持する前側脚部２１２ａの端部レールと前側支持レール２１１ａとの間は、補強レール２１３ａ（図１、図２及び図５参照）により補強されている。支持台２１１の左右方向Ｘにおける両端部のうち何れか一方（この例では右側端部）を支持する後側脚部２１２ｂの端部レールと後側支持レール２１１ｂとの間は、補強レール２１３ｂ（図１、図３及び図５参照）により補強されている。支持台２１１の左右方向Ｘにおける中間部分を支持する前側脚部２１２ａの中間部レールと前側支持レール２１１ａとの間は、補強レール２１３ｃ〜２１３ｃ（図１、図２及び図５参照）により補強されている。支持台２１１の左右方向Ｘにおける中間部分を支持する後側脚部２１２ｂの中間部レールと後側支持レール２１１ｂとの間は、補強レール２１３ｄ〜２１３ｄ（図１、図３及び図５参照）により補強されている。また、支持台２１１の左右方向Ｘにおける両端部及び中間部分を支持する前側脚部２１２ａの端部レール及び中間部レールと支持台２１１の左右方向Ｘにおける両端部及び中間部分を支持する後側脚部２１２ｂの端部レール及び中間部レールとの間は、筋交い部２１４〜２１４により補強されている。
【００４９】
傾斜部２２０は、１列分（ｍ段×１列）の太陽電池モジュール１００〜１００からなる太陽電池モジュール列１００Ａ（図２から図４参照）を１列又は複数列分（この例では７列分）支持している。傾斜部２２０は、１つの太陽電池モジュール列１００Ａにつき１又は複数（この例では２本）の桟部材３００，３００を固定している。すなわち、この例では、１列分（ｍ段×１列）の太陽電池モジュール１００〜１００には、２本の桟部材３００，３００が設けられている。
【００５０】
傾斜部２２０は、桟部材３００の傾斜方向Ｗにおける中間部を桟部材３００が前後方向Ｙにおいて後側で高く、前側で低くなるように予め定めた所定の角度で傾斜するように支持する中間部支柱レール２２１（図４及び図５参照）と、桟部材３００の上側部を支持する上側部支柱レール２２２（図３から図５参照）とを備えている。中間部支柱レール２２１は、一端部２２１ａ（図４参照）が桟部材３００の傾斜方向Ｗにおける中間部に連結され、かつ、他端部２２１ｂ（図４参照）が後側支持レール２１１ｂに連結されている。上側部支柱レール２２２は、一端部２２２ａ（図４参照）が桟部材３００の上側部に連結され、かつ、他端部２２２ｂ（図４参照）が中間部支柱レール２２１の他端部２２１ｂ側に連結されている。隣り合う上側部支柱レール２２２，２２２のうち１組おきの隣り合う上側部支柱レール２２２，２２２（太陽電池モジュール列１００Ａを支持する上側部支柱レール２２２，２２２）の間は、筋交い部２２３（図３から図５参照）により補強されている。
【００５１】
具体的には、前側支持レール２１１ａ、後側支持レール２１１ｂ、一方端連結レール２１１ｃ、他方端連結レール２１１ｄ、前側脚部２１２ａ及び後側脚部２１２ｂにおける端部レール及び中間部レール、中間部支柱レール２２１、上側部支柱レール２２２、補強レール２１３ａ〜２１３ｄ、桟部材３００は、何れもメッキ鋼板等の金属板を切断加工及び折り曲げ加工したものであり、断面ハット形状のものとされている。
【００５２】
［第１実施形態］
（太陽電池モジュール）
太陽電池モジュール１００は、太陽電池モジュール本体１１０（図３参照）及び太陽電池モジュール本体を保持する枠体１２０（図３参照）を備えている。
【００５３】
図６は、図１から図４に示す太陽電池モジュール１００を概略的に示す斜視図である。図７は、図６に示す太陽電池モジュール１００の分解斜視図である。
【００５４】
太陽電池モジュール本体１１０には、受光面１１０ａ側から図示しない透光性基材、封止樹脂、複数の太陽電池セルからなる太陽電池セル層、封止樹脂、裏面側保護材がこの順で設けられている。この例では、透光性基材としてガラス基板を用い、封止樹脂としてＥＶＡ（エチレンビニルアセテート樹脂）を用い、太陽電池セルとして多結晶シリコンウエハから作製された太陽電池セルを用い、また、裏面側保護材としてＰＥＴ（ポリエチレンテレフタレート）シートを積層した多層シートを用いている。
【００５５】
複数の太陽電池セルは、太陽電池モジュール１００として十分な出力電力を得るために、内部配線（図示せず）を用いて直列に電気的に接続されている。さらに、太陽電池モジュール１００は正極側と負極側の２個の引出し電極（図示せず）を有しており、それぞれの引出し電極は、一端が太陽電池セルと電気的に接続され、他端が端子ボックス（図示せず）に電気的に接続されている。
【００５６】
太陽電池モジュール１００は、平面視で多角形状（この例では長方形状）の太陽電池モジュール本体１１０の外周部に枠体１２０を保持したものとされている。
【００５７】
太陽電池モジュール本体１１０は、太陽光を受光する受光面１１０ａと、受光面１１０ａとは反対側の裏面１１０ｂ（図７参照）と、短辺側を構成する一対の側面のうちの一方の第１側面１１０ｃ（図７参照）と、短辺側を構成する一対の側面のうちの他方の第２側面１１０ｄ（図７参照）と、長辺側を構成する一対の側面のうちの一方の第３側面１１０ｅ（図７参照）と、長辺側を構成する一対の側面のうちの他方の第４側面１１０ｆ（図７参照）とを有している。
【００５８】
太陽電池モジュール本体１１０は、相対する一対の辺（この例では短辺側）が架台４００における傾斜部２２０（図１から図５参照）により傾斜方向Wに傾斜しており、相対するもう一対の辺（この例では長辺側）が架台４００における傾斜部２２０（図１から図５参照）により高低差を有しかつ互いに水平又は略水平とされている。
【００５９】
枠体１２０は、太陽電池モジュール本体１１０の一方の短辺側を保持する一方の短辺側枠体（この例では左枠１２１）と、太陽電池モジュール本体１１０の他方の短辺側を保持する他方の短辺側枠体（この例では右枠１２２）と、太陽電池モジュール本体１１０の一方の長辺側を保持する一方の長辺側枠体（この例では上枠１２３）と、太陽電池モジュール本体１１０の他方の長辺側を保持する他方の長辺側枠体（この例では下枠１２４）とで構成されている。
【００６０】
左枠１２１は、太陽電池モジュール本体１１０の受光面１１０ａの長手方向Ｎにおける一端の縁部、裏面１１０ｂの長手方向Ｎにおける一端の縁部及び第１側面１１０ｃを保持する。右枠１２２は、太陽電池モジュール本体１１０の受光面１１０ａの長手方向Ｎにおける他端の縁部、裏面１１０ｂの長手方向Ｎにおける他端の縁部及び第２側面１１０ｄを保持する。この例では、左枠１２１及び右枠１２２は、同一構成のものとされている。
【００６１】
上枠１２３は、太陽電池モジュール本体１１０の裏面１１０ｂの短手方向Ｔにおける一端の縁部及び第３側面１１０ｅを保持する。下枠１２４は、太陽電池モジュール本体１１０の裏面１１０ｂの短手方向Ｔにおける他端の縁部及び第４側面１１０ｆを保持する。上枠１２３及び下枠１２４は、太陽電池モジュール本体１１０の受光面１１０ａを保持しておらず、上端が太陽電池モジュール本体１１０の受光面１１０ａよりも上側に突出しないようになっている。この例では、上枠１２３及び下枠１２４は、同一構成のものとされている。
【００６２】
詳しくは、上枠１２３及び下枠１２４の左枠１２１側の端部には、貫通孔ＨＬ，ＨＬ（図７参照）が設けられている。左枠１２１の短手方向Ｔにおける両端部には、雌ネジ孔部１２ａ１，１２ａ１（図７参照）が設けられている。左枠１２１は、太陽電池モジュール本体１１０の一方の短辺側において受光面１１０ａ及び裏面１１０ｂを挟持しつつ第１側面１１０ｃを保持した状態で、上枠１２３及び下枠１２４の左枠１２１側の端部を、ネジ等の固定部材ＳＣが上枠１２３及び下枠１２４の左枠１２１側の端部に設けられた貫通孔ＨＬ，ＨＬに挿通して左枠１２１の短手方向Ｔにおける両端部に設けられた雌ネジ孔部１２ａ１，１２ａ１に螺合することで固定している。上枠１２３及び下枠１２４の右枠１２２側の端部には、貫通孔ＨＬ，ＨＬ（図７参照）が設けられている。右枠１２２の短手方向Ｔにおける両端部には、雌ネジ孔部１２ａ１，１２ａ１（図７参照）が設けられている。右枠１２２は、太陽電池モジュール本体１１０の他方の短辺側において受光面１１０ａ及び裏面１１０ｂを挟持しつつ第２側面１１０ｄを保持した状態で、上枠１２３及び下枠１２４の右枠１２２側の端部を、ネジ等の固定部材ＳＣが上枠１２３及び下枠１２４の右枠１２２側の端部に設けられた貫通孔ＨＬ，ＨＬに挿通して右枠１２２の短手方向Ｔにおける両端部に設けられた雌ネジ孔部１２ａ１，１２ａ１に螺合することで固定している。かくして、上枠１２３は、太陽電池モジュール本体１１０の第３側面１１０ｅ及び裏面１１０ｂを保持し、下枠１２４は、太陽電池モジュール本体１１０の第４側面１１０ｆ及び裏面１１０ｂを保持するようになっている。
【００６３】
太陽電池モジュール１００は、長手方向Ｎに沿った上枠１２３及び下枠１２４が水平又は略水平で上枠１２３が下枠１２４よりも高くなるように、かつ、短手方向Ｔに沿った左枠１２１及び右枠１２２が傾斜するように、土台２００に固定された桟部材３００（この例では架台４００）に取り付けられる。また、隣り合う太陽電池モジュール１００，１００は、左右方向Ｘに隣り合う左枠１２１及び右枠１２２並びに傾斜方向Ｗに隣り合う上枠１２３及び下枠１２４が互いに近接又は接触するように架台４００に取り付けられる。
【００６４】
かかる構成を備えた太陽光発電システム５００では、上枠１２３及び下枠１２４が太陽電池モジュール本体１１０の受光面１１０ａを覆ってはいないため、例えば、太陽電池モジュール１００上に雪等の不要物が積もる場合には、受光面１１０ａ上に雪等の不要物をスムーズに滑落させることができ、従って、雪等の不要物によって太陽電池モジュール１００の発電量が低下したり、或いは／さらに、雪等の不要物の重みで太陽電池モジュール１００が破損したりするといった不都合を回避することができる。
【００６５】
（左枠及び右枠の具体的構成）
図８は、図６に示す太陽電池モジュール１００のＡ−Ａ線に沿った概略断面図であって、太陽電池モジュール本体１１０と左枠１２１及び右枠１２２との関係を示す図である。なお、左枠１２１及び右枠１２２は、同一構成のものであるため、同一符号を付し、図８において、左枠１２１及び右枠１２２を一つの図で示している。
【００６６】
左枠１２１及び右枠１２２枠は、太陽電池モジュール本体１１０を支持する第１枠部１１と、第１枠部１１を支持する第２枠部１２とを有している。第１枠部１１は、第２枠部１２の上部に設けられている。左枠１２１及び右枠１２２枠は、第１枠部１１及び第２枠部１２を一体形成したものである。
【００６７】
第１枠部１１は、断面略Ｕ字状に形成されている。詳しくは、第１枠部１１は、太陽電池モジュール本体１１０の受光面１１０ａの縁部を保持する上片１１ａと、太陽電池モジュール本体１１０において第１側面１１０ｃ、第２側面１１０ｄを保持する側片１１ｂと、太陽電池モジュール本体１１０の裏面１１０ｂの縁部を保持する下片１１ｃとを備えている。第１枠部１１は、上片１１ａ、側片１１ｂ及び下片１１ｃを、側片１１ｂに対して上片１１ａ及び下片１１ｃが直角又は略直角になるように一体形成したものである。
【００６８】
第２枠部１２は、断面略Ｌ字状に形成されている。詳しくは、第２枠部１２は、一端部で第１枠部１１の下部を支持する板状の縦枠部１２ａと、一端部で縦枠部１２ａの他端部を支持する板状のフランジ部１２ｂとを備えている。第２枠部１２は、縦枠部１２ａ及びフランジ部１２ｂを、これらが互いに直角又は略直角になるように一体形成したものである。
【００６９】
縦枠部１２ａの内側には、上枠１２３及び下枠１２４に設けられた貫通孔ＨＬ，ＨＬに挿通される固定部材ＳＣと螺合する雌ネジ孔部１２ａ１，１２ａ１が形成されている。
【００７０】
左枠１２１及び右枠１２２は、この例では、アルミニウムの押出加工により形成されたものとされている。
【００７１】
太陽電池モジュール本体１１０と左枠１２１及び右枠１２２における第１枠部１１との間には、弾性体２０が配設されている。
【００７２】
詳しくは、弾性体２０は、左枠１２１及び右枠１２２における第１枠部１１が太陽電池モジュール本体１１０を保持している状態で太陽電池モジュール本体１１０と第１枠部１１の内壁との間に密着している。弾性体２０は、第１枠部１１の内壁の形状に合わせて断面略Ｕ字状に形成されている。
【００７３】
左枠１２１及び右枠１２２は、太陽電池モジュール本体１１０が弾性体２０を介して第１枠部１１に嵌入されることにより、太陽電池モジュール本体１１０に取り付けられている。
【００７４】
弾性体２０は、第１枠部１１と太陽電池モジュール本体１１０との間に挟まれているときでも弾性を有していることで、左枠１２１及び右枠１２２にかかる衝撃を太陽電池モジュール本体１１０に伝え難くする機能を有している。また、弾性体２０は、太陽電池モジュール本体１１０の第１枠部１１部分をより確実に封止し、水分等の侵入を防ぐ機能も有している。
【００７５】
弾性体２０としては、例えば、エラストマー樹脂、ブチルゴム、シリコーン樹脂や合成ゴム等の弾性樹脂材料を用いることができる。弾性体２０は、この例では、エラストマー樹脂からなっている。
【００７６】
（上枠及び下枠の具体的構成）
図９は、図６に示す太陽電池モジュール１００のＢ−Ｂ線に沿った概略断面図であって、太陽電池モジュール本体１１０と上枠１２３及び下枠１２４との関係を示す図である。なお、上枠１２３及び下枠１２４は、同一構成のものであるため、同一符号を付し、図９において、上枠１２３及び下枠１２４を一つの図で示している。
【００７７】
上枠１２３及び下枠１２４枠は、太陽電池モジュール本体１１０を支持する第１枠部１３と、第１枠部１３を支持する第２枠部１４とを有している。第１枠部１３は、第２枠部１４の上部に設けられている。上枠１２３及び下枠１２４枠は、第１枠部１３及び第２枠部１４を一体形成したものである。
【００７８】
第１枠部１３は、断面略Ｌ字状に形成されている。詳しくは、第１枠部１３は、太陽電池モジュール本体１１０の受光面１１０ａを保持しておらず、太陽電池モジュール本体１１０において第３側面１１０ｅ、第４側面１１０ｆを保持する側片１３ｂと、太陽電池モジュール本体１１０の裏面１１０ｂの縁部を保持する下片１３ｃとを備えている。第１枠部１３は、側片１３ｂ及び下片１３ｃを、側片１３ｂに対して下片１３ｃが直角又は略直角になるように一体形成したものである。より詳しくは、第１枠部１３における側片１３ｂの先端（上端）は、太陽電池モジュール本体１１０の受光面１１０ａと同じ又は略同じ面上にある。なお、第１枠部１３における側片１３ｂの先端（上端）は、太陽電池モジュール本体１１０の受光面１１０ａより下に位置していてもよい。下片１３ｃは、短手方向Ｔの長さが側片１３ｂの太陽電池モジュール本体１１０の厚みよりも長くなっている。これにより、下片１３ｃにより太陽電池モジュール本体１１０の裏面１１０ｂを支える面積を増やすことができ、従って、太陽電池モジュール本体１１０を確実に保持することができる。
【００７９】
第２枠部１４は、断面略Ｌ字状に形成されている。詳しくは、第２枠部１４は、一端部で第１枠部１３の下部を支持する板状の縦枠部１４ａと、一端部で縦枠部１４ａの他端部を支持する板状のフランジ部１４ｂとを備えている。第２枠部１４は、縦枠部１４ａ及びフランジ部１４ｂを、これらが互いに直角又は略直角になるように一体形成したものである。
【００８０】
上枠１２３及び下枠１２４は、左枠１２１及び右枠１２２と同様、この例では、アルミニウムの押出加工により形成されたものとされている。
【００８１】
太陽電池モジュール本体１１０と上枠１２３及び下枠１２４における第１枠部１３との間には、接着層３０が配設されている。
【００８２】
詳しくは、接着層３０は、第１枠部１３と太陽電池モジュール本体１１０との間において連続的に設けられている。こうすることで、太陽電池モジュール本体１１０と第１枠部１３との接着面積を広くすることができ、これにより、太陽電池モジュール本体１１０と第１枠部１３との間の接着強度を向上させることが可能となる。
【００８３】
接着層３０としては、例えば、シリコーン樹脂等の接着樹脂材料を用いることができる。接着層３０は、この例では、シリコーン樹脂からなっている。接着層３０としてシリコーン樹脂を用いることにより、第１枠部１３と太陽電池モジュール本体１１０との高い接着強度を維持することが可能となる。また、シリコーン樹脂は、耐候性が高く、高い接着強度を維持することが可能であるため、太陽電池モジュール１００の長期信頼性も確保することができる。なお、接着層３０は、シリコーン樹脂に限定されるものではない。
【００８４】
＜太陽電池モジュールの設置構造について＞
次に、本実施の形態に係る太陽電池モジュール１００を桟部材３００に設置する太陽電池モジュール１００の設置構造について図１０から図１８を参照しながら以下に説明する。
【００８５】
図１０は、本実施の形態に係る太陽電池モジュール１００の設置構造を斜め上方から視た示す斜視図である。図１１は、図１０に示す太陽電池モジュール１００の設置構造を示す分解斜視図である。図１２は、図１０に示す太陽電池モジュール１００の設置構造の一部断面を含む側面図である。図１３は、図１０に示す太陽電池モジュール１００の設置構造を斜め下方から視た斜視図である。また、図１４は、隣り合う太陽電池モジュール１００，１００の設置構造の一部断面を含む側面図である。なお、図１０、図１１及び図１３において太陽電池モジュール本体１１０は図示を省略している。また、図１０から図１３は、太陽光発電システム５００の傾斜方向Ｗの両端における太陽電池モジュール１００，１００において隣に太陽電池モジュール１００が存在しない場合での太陽電池モジュール１００の設置構造を示している。これらのことは、後述する図１９から図２１についても同様である。
【００８６】
図１５及び図１６は、本実施の形態に係る太陽電池モジュール１００の設置構造を構成する第１挟持部材４０を示す図である。図１５（ａ）は、第１挟持部材４０を平面側から視た斜視図であり、図１５（ｂ）は、第１挟持部材４０を底面側から視た斜視図である。図１６（ａ）は、第１挟持部材４０の平面図であり、図１６（ｂ）は、第１挟持部材４０の正面図であり、図１６（ｃ）は、第１挟持部材４０の底面図であり、図１６（ｄ）は、第１挟持部材４０の側面図である。
【００８７】
図１７及び図１８は、本実施の形態に係る太陽電池モジュール１００の設置構造を構成する第２挟持部材５０を示す図である。図１７（ａ）は、第２挟持部材５０を平面側から視た斜視図であり、図１７（ｂ）は、第２挟持部材５０を底面側から視た斜視図である。図１８（ａ）は、第２挟持部材５０の平面図であり、図１８（ｂ）は、第２挟持部材５０の正面図であり、図１８（ｃ）は、第２挟持部材５０の底面図であり、図１８（ｄ）は、第２挟持部材５０の側面図である。
【００８８】
ここで、太陽電池モジュール１００の設置構造で用いられる枠体は、この例では、上枠１２３及び下枠１２４であるが、以下の説明では、枠体１２０と称する。
【００８９】
本実施の形態に係る太陽電池モジュール１００の設置構造は、桟部材３００、第１挟持部材４０、第２挟持部材５０及び固定部材６０を備えている。
【００９０】
桟部材３００は、土台２００（図５参照）に固定された状態となっている。桟部材３００は、枠体１２０（この例では上枠１２３及び下枠１２４）が載置される。本実施の形態では、太陽電池モジュール１００の設置構造は、太陽電池モジュール１００を予め定めた所定方向（この例では傾斜方向Ｗ）に沿って複数並設する構成とされている。この例では、桟部材３００は、傾斜方向Ｗに沿った縦桟とされている。具体的には、桟部材３００は、土台２００に左右方向Ｘに沿って複数本（具体的には１４本）並設されている。複数本の桟部材３００〜３００は、傾斜方向Ｗに平行又は略平行とされている。複数本の桟部材３００〜３００のうち、隣り合う２本の桟部材３００，３００が傾斜方向Ｗに沿った１列分（具体的には３個）の太陽電池モジュール１００〜１００（太陽電池モジュール列１００Ａ）を支持している。
【００９１】
第１挟持部材４０及び第２挟持部材５０は、桟部材３００及び枠体１２０を桟部材３００及び枠体１２０の互いに対向する面３００ａ（図１０から図１４参照），１２０ｂ（図１２から図１４参照）とは反対側の面３００ｂ（図１２から図１４参照），１２０ａ（図１０から図１２、図１４参照）からそれぞれ挟持する構成とされている。この例では、開放側を下にした断面ハット形状の桟部材３００の上板３０１（図１０から図１４参照）の上面３００ａと、枠体１２０の第２枠部１４におけるフランジ部１４ｂ（図１０から図１４参照）の底面１２０ｂとが対向して互いに接触しており、第１挟持部材４０及び第２挟持部材５０は、桟部材３００の上板３０１の底面３００ｂと枠体１２０におけるフランジ部１４ｂの上面１２０ａとにそれぞれ接触した状態で上板３０１及びフランジ部１４ｂを挟持するようになっている。
【００９２】
固定部材６０は、第１挟持部材４０及び第２挟持部材５０のうち、桟部材３００側に設けられた第１挟持部材４０側から、第１挟持部材４０、桟部材３００及び枠体１２０を間にして枠体１２０側に設けられた第２挟持部材５０に締結されることにより、桟部材３００及び枠体１２０を第１挟持部材４０及び第２挟持部材５０の間に挟持して固定する構成とされている。この例では、固定部材６０は、第１挟持部材４０側から、第１挟持部材４０、桟部材３００における上板３０１及び枠体１２０におけるフランジ部１４ｂを間にして第２挟持部材５０に締結されることにより、桟部材３００における上板３０１及び枠体１２０におけるフランジ部１４ｂを第１挟持部材４０及び第２挟持部材５０の間に挟持して固定する。
【００９３】
本実施の形態では、太陽電池モジュール１００の設置構造は、桟部材３００及び枠体１２０を太陽電池モジュール本体１１０の裏面１１０ｂ側で固定する構成とされている（図１２及び図１４参照）。この例では、枠体１２０におけるフランジ部１４ｂは、縦枠部１４ａ（図１０から図１２、図１４参照）に対して内側に設けられており、第１挟持部材４０及び第２挟持部材５０は、桟部材３００における上板３０１と枠体１２０の縦枠部１４ａに対して内側に設けられたフランジ部１４ｂとを固定するようになっている。
【００９４】
また、本実施の形態では、固定部材６０は、雄ネジ部６１（図１０から図１２、図１４参照）を有している。この例では、固定部材６０は、ボルトとされている。
【００９５】
第１挟持部材４０、桟部材３００及び枠体１２０には、何れも固定部材６０における雄ネジ部６１を貫通する雄ネジ部貫通孔４０ａ（図１１、図１３、図１５及び図１６参照），３００ｃ（図１１から図１４参照），１２０ｃ（図１１、図１２及び図１４参照）が設けられている。この例では、雄ネジ部貫通孔４０ａは、第１挟持部材４０における板状部分を構成する挟持本体部４１（図１１から図１４参照）に設けられており、雄ネジ部貫通孔３００ｃは、桟部材３００における上板３０１に設けられており、雄ネジ部貫通孔１２０ｃは、枠体１２０におけるフランジ部１４ｂに設けられている。
【００９６】
第２挟持部材５０には、固定部材６０における雄ネジ部６１と螺合する雌ネジ孔５０ａ（図１０から図１２、図１４、図１７及び図１８参照）が設けられている。この例では、雌ネジ孔５０ａは、第２挟持部材５０における板状部分を構成する挟持本体部５１（図１０から図１２、図１４参照）に設けられており、貫通雌ネジ孔とされている。
【００９７】
固定部材６０は、第１挟持部材４０側から、雄ネジ部６１が第１挟持部材４０、桟部材３００及び枠体１２０における雄ネジ部貫通孔４０ａ，３００ｃ，１２０ｃを貫通して第２挟持部材５０における雌ネジ孔５０ａに締め付けられることにより、桟部材３００及び枠体１２０を第１挟持部材４０及び第２挟持部材５０の間に挟持して固定する構成とされている。この例では、固定部材６０は、第１挟持部材４０側から、第１挟持部材４０、桟部材３００の上板３０１及び枠体１２０のフランジ部１４ｂにおける雄ネジ部貫通孔４０ａ，３００ｃ，１２０ｃを貫通して第２挟持部材５０における雌ネジ孔５０ａに締め付けられることにより、桟部材３００における上板３０１及び枠体１２０におけるフランジ部１４ｂを第１挟持部材４０及び第２挟持部材５０の間に挟持して固定する。
【００９８】
また、本実施の形態では、第１挟持部材４０には、桟部材３００に対して枠体１２０の位置、詳しくは、固定部材６０における雄ネジ部６１の回転方向Ｃ（図１０、図１１及び図１３参照）における枠体１２０の位置を位置決めする位置決め部４２（図１０から図１６参照）が設けられている。この例では、第１挟持部材４０は、太陽電池モジュール本体１１０の裏面１１０ｂ側に位置しており、位置決め部４２は、第１挟持部材４０の傾斜方向Ｗにおける端部に設けられている。位置決め部４２は、第１挟持部材４０において枠体１２０におけるフランジ部１４ｂの縦枠部１４ａとは反対側の端面１４ｂ１（図１０から図１４参照）に沿って複数（ここでは２つ）並設されている。
【００９９】
桟部材３００には、位置決め部４２を貫通する位置決め部貫通孔３００ｄ（図１１から図１４参照）が設けられている。この例では、位置決め部貫通孔３００ｄは、桟部材３００において太陽電池モジュール本体１１０の裏面１１０ｂ側に設けられている。位置決め部貫通孔３００ｄは、桟部材３００において位置決め部４２に対応して複数（ここでは２つ）並設されている。
【０１００】
第１挟持部材４０は、位置決め部４２が桟部材３００における位置決め部貫通孔３００ｄを貫通して枠体１２０に当接することにより、桟部材３００に対する枠体の位置、詳しくは、雄ネジ部６１の回転方向Ｃにおける枠体１２０の位置を位置決めする構成とされている。この例では、複数（ここでは２つ）の位置決め部４２，４２は、太陽電池モジュール本体１１０の裏面１１０ｂ側において枠体１２０における端面（具体的にはフランジ部１４ｂの端面１４ｂ１）にそれぞれ当接して回転方向Ｃにおける枠体１２０の位置を位置決めする。
【０１０１】
また、本実施の形態では、桟部材３００には、位置決め部４２の位置決め部貫通孔３００ｄからの落下を防止するための係合部３０３（図１０、図１１及び図１３参照）が設けられている。この例では、複数（ここでは２つ）の係合部３０３，３０３は、枠体１２０が複数（ここでは２つ）の位置決め部４２，４２により位置決めされる方向（ここでは左右方向Ｘ）と交差する方向（ここでは左右方向Ｘと直交又は略直交する傾斜方向Ｗ）にそれぞれ延びている。
【０１０２】
第１挟持部材４０における位置決め部４２には、桟部材３００における係合部３０３に係止される係止部４３（図１０から図１６参照）が設けられている。この例では、複数（ここでは２つ）の係止部４３，４３は、枠体１２０が複数（ここでは２つ）の位置決め部４２，４２により位置決めされる方向（ここでは左右方向Ｘ）に沿ってそれぞれ延びている。
【０１０３】
第２挟持部材５０には、雌ネジ孔５０ａが固定部材６０における雄ネジ部６１と螺合することにより第２挟持部材５０の雄ネジ部６１との共回りによる回転を規制する規制部５２（図１０、図１１、図１７、図１８（ａ）、図１８（ｃ）及び図１８（ｄ）参照）が設けられている。この例では、規制部５２は、第２挟持部材５０から、枠体１２０が位置決め部４２により位置決めされる方向（ここでは左右方向Ｘ）と交差する方向（ここでは左右方向Ｘと直交又は略直交する傾斜方向Ｗ）に突出している。
【０１０４】
第２挟持部材５０における規制部５２は、第１挟持部材４０における位置決め部４２に係止される構成とされている。この例では、規制部５２は、枠体１２０が複数（ここでは２つ）の位置決め部４２，４２により位置決めされる方向（ここでは左右方向Ｘ）において複数（ここでは２つ）の位置決め部４２，４２の係止部４３，４３が設けられている側とは反対側にそれぞれ係止されるようになっている。
【０１０５】
また、本実施の形態では、第２挟持部材５０には、第２挟持部材５０が桟部材３００及び枠体１２０を第１挟持部材４０と共に固定しているときに桟部材３００を保持する保持部５３（図１０から図１４、図１７、図１８参照）が設けられている。この例では、保持部５３は、規制部５２に設けられている。
【０１０６】
また、本実施の形態では、図１４に示すように、第１挟持部材４０は、隣り合う２つの太陽電池モジュール１００，１００における隣り合う２つの枠体１２０（１２３），１２０（１２４）に桟部材３００を間にして跨がる単一の挟持部材とされている。この例では、傾斜方向Ｗに隣り合う２つの枠体１２０，１２０の外面（具体的には側片１３ｂ及び縦枠部１４ａの外面）は、互いに接触しており、第１挟持部材４０は、隣り合う２つの枠体１２０，１２０におけるフランジ部１４ｂに桟部材３００における上板３０１を間にして跨がっている。
【０１０７】
第２挟持部材５０は、隣り合う２つの太陽電池モジュール１００，１００における隣り合う２つの枠体１２０，１２０にそれぞれ設けられる２つの挟持部材とされている。この例では、２つの第２挟持部材５０，５０は、同一構成のものとされている。
【０１０８】
固定部材６０は、単一の第１挟持部材４０側から、単一の第１挟持部材４０、桟部材３００及び隣り合う２つの枠体１２０，１２０を間にして２つの第２挟持部材５０，５０にそれぞれ締結されることにより、桟部材３００及び隣り合う２つの枠体１２０，１２０を単一の第１挟持部材４０及び２つの第２挟持部材５０，５０の間にそれぞれ挟持して固定する２つの固定部材とされている。この例では、２つの固定部材６０，６０は、単一の第１挟持部材４０側から、単一の第１挟持部材４０、桟部材３００における上板３０１及び隣り合う２つの枠体１２０，１２０におけるフランジ部１４ｂ，１４ｂを間にして２つの第２挟持部材５０，５０にそれぞれ締結されることにより、桟部材３００における上板３０１及び隣り合う枠体１２０，１２０におけるフランジ部１４ｂ，１４ｂを単一の第１挟持部材４０及び２つの第２挟持部材５０，５０の間にそれぞれ挟持して固定するようになっている。
【０１０９】
さらに具体的には、第１挟持部材４０、桟部材３００、枠体１２０及び第２挟持部材５０は、次のような構成とされている。
【０１１０】
（第１挟持部材の具体的構成）
第１挟持部材４０は、板状の挟持本体部４１（図１５及び図１６参照）を備えており、挟持本体部４１の左右方向Ｘにおける中央部又は略中央部に傾斜方向Ｗに沿って２つの雄ネジ部貫通孔４０ａ，４０ａが並設されている。雄ネジ部貫通孔４０ａは、円形状又は略円形状のものとされており、内径が固定部材６０における雄ネジ部６１の外径よりも雄ネジ部６１が雄ネジ部貫通孔４０ａに円滑に挿通できる程度に所定の寸法だけ大きくなっている。
【０１１１】
挟持本体部４１の傾斜方向Ｗにおける両端部において左右方向Ｘに間隔をおいて２つの位置決め部４２，４２が上側に直角又は略直角に立設されている。挟持本体部４１の傾斜方向Ｗにおける両端部に設けられた２つの位置決め部４２，４２は、左右方向Ｘに沿った板状のものとされている。係止部４３は、２つの位置決め部４２，４２の上部から左右方向Ｘにおける両側のうち何れか一方（ここでは左右方向Ｘにおける外側）にそれぞれ延設されたものとされている。すなわち、位置決め部４２及び係止部４３は、傾斜方向Ｗから視て略Ｌ字形状を有している。係止部４３の厚みは、位置決め部４２の厚みと同一又は略同一とされている。なお、係止部４３が位置決め部４２の上部から左右方向Ｘにおける両側に延設されていてもよい。すなわち、位置決め部４２及び係止部４３は、傾斜方向Ｗから視て略Ｔ字形状を有していてもよい。
【０１１２】
第１挟持部材４０は、左右方向Ｘにおけるサイズｄ１（図１６（ａ）参照）が断面ハット形状の桟部材３００の内面３００ｅ，３００ｅ間の寸法ｄ２（図１３参照）よりも第１挟持部材４０が内面３００ｅ，３００ｅに円滑に挿通できる程度に所定の寸法だけ小さくなっている。挟持本体部４１の左右方向Ｘにおける両端部には、挟持本体部４１を補強する補強部４４，４４（図１５及び図１６参照）が傾斜方向Ｗの全体に亘って下側に直角又は略直角にそれぞれ立設されている。
【０１１３】
なお、雄ネジ部貫通孔４０ａ、位置決め部４２、係止部４３及び補強部４４が設けられた第１挟持部材４０は、鉄、ステンレス鋼、アルミニュウム等の金属板を切断加工及び曲げ加工により形成したものとされている。
【０１１４】
（桟部材の具体的構成）
桟部材３００における上板３０１の枠体１２０が載置されるべき箇所において、左右方向Ｘにおける中央部又は略中央部に傾斜方向Ｗに沿って２つの雄ネジ部貫通孔３００ｃ，３００ｃが並設されている。桟部材３００における上板３０１の枠体１２０が載置されるべき傾斜方向Ｗにおける両端部の箇所にそれぞれ載置される枠体１２０は１つとなるため、該両端部の箇所に設けられる雄ネジ部貫通孔３００ｃを１つとしてもよい。雄ネジ部貫通孔３００ｃは、円形状又は略円形状のものとされており、内径が固定部材６０における雄ネジ部６１の外径よりも雄ネジ部６１が雄ネジ部貫通孔３００ｃに円滑に挿通できる程度に所定の寸法だけ大きくなっている。
【０１１５】
桟部材３００における上板３０１に設けられた位置決め部貫通孔３００ｄは、係止部４３をそれぞれ上部に設けた４つの位置決め部４２〜４２に対応して位置決め部４２及び係止部４３の双方をそれぞれ挿通する４つの第１挿通孔部３００ｄ１〜３００ｄ１（図１１参照）と、係止部４３をそれぞれ上部に設けた４つの位置決め部４２〜４２に対応して位置決め部４２及び係止部４３のうち位置決め部４２のみをそれぞれ挿通する４つの第２挿通孔部３００ｄ２〜３００ｄ２（図１１参照）とを有している。桟部材３００における上板３０１において４つの第２挿通孔部３００ｄ２〜３００ｄ２の左右方向Ｘにおける両縁部のうち少なくとも一方（ここでは何れか一方）の縁部が係止部４３を係止する係合部３０３を構成している。
【０１１６】
第１挿通孔部３００ｄ１は、左右方向Ｘ及び傾斜方向Ｗのサイズが位置決め部４２及び係止部４３の双方の左右方向Ｘ及び傾斜方向Ｗのサイズよりも位置決め部４２及び係止部４３の双方が第１挿通孔部３００ｄ１に円滑に挿通できる程度に所定の寸法だけ大きくなっている。第２挿通孔部３００ｄ２は、左右方向Ｘのサイズが位置決め部４２及び係止部４３のうち位置決め部４２のみの左右方向Ｘのサイズよりも位置決め部４２及び係止部４３のうち位置決め部４２のみが第２挿通孔部３００ｄ２に円滑に挿通できる程度に所定の寸法だけ大きくなっており、傾斜方向Ｗに延びている。
【０１１７】
４つの第１挿通孔部３００ｄ１〜３００ｄ１及び４つの第２挿通孔部３００ｄ２〜３００ｄ２は、それぞれ、第１挿通孔部３００ｄ１における左右方向Ｘにおける端部と第２挿通孔部３００ｄ２の傾斜方向Ｗにおける一方側（ここでは上側）の一端部とが連通し、すなわち、平面視で略Ｌ字状に形成されている。なお、係止部４３が位置決め部４２の上部から左右方向Ｘにおける両側に延設される場合には、第１挿通孔部３００ｄ１及び第２挿通孔部３００ｄ２が第１挿通孔部３００ｄ１における左右方向Ｘにおける中央部と第２挿通孔部３００ｄ２の傾斜方向Ｗにおける一方側（ここでは上側）の端部とが連通し、すなわち、平面視で略Ｔ字状に形成される。
【０１１８】
ここで、係止部４３を上部に設けた位置決め部４２は、係止部４３と挟持本体部４１との間の傾斜方向Ｗ及び左右方向Ｘの双方に直交する方向におけるサイズｄ３（図１６（ｂ）参照）が桟部材３００の上板３０１の厚みよりも桟部材３００の上板３０１が位置決め部４２の係止部４３と挟持本体部４１との間に円滑に挿通できる程度に所定の寸法だけ大きくなっている。
【０１１９】
（枠体の具体的構成）
枠体１２０におけるフランジ部１２ｂの傾斜方向Ｗにおける中央部又は略中央部に単一の雄ネジ部貫通孔１２０ｃが設けられている。雄ネジ部貫通孔１２０ｃは、円形状又は略円形状のものとされており、内径が固定部材６０における雄ネジ部６１の外径よりも雄ネジ部６１が雄ネジ部貫通孔１２０ｃに円滑に挿通できる程度に所定の寸法だけ大きくなっている。
【０１２０】
（第２挟持部材の具体的構成）
第２挟持部材５０は、板状の挟持本体部５１（図１７及び図１８参照）を備えており、挟持本体部５１の左右方向Ｘにおける中央部又は略中央部に単一の雌ネジ孔５０ａが設けられている。
【０１２１】
挟持本体部５１の傾斜方向Ｗにおける枠体１２０側とは反対側の端部の左右方向Ｘにおける中央部において規制部５２が傾斜方向Ｗにおける枠体１２０の縦枠部１４ａ側とは反対側に突出している。規制部５２の厚みは、挟持本体部５１の厚みと同一又は略同一とされている。規制部５２は、左右方向Ｘのサイズｄ４（図１８（ａ）参照）が挟持本体部５１の左右方向Ｘのサイズｄ５（図１８（ａ）参照）よりも小さくなっており、第１挟持部材４０における左右方向Ｘに隣り合う位置決め部４２，４２間のサイズｄ６（図１６（ａ）参照）よりも規制部５２が隣り合う位置決め部４２，４２間に円滑に挿通できる程度に所定の寸法だけ小さくなっている。
【０１２２】
規制部５２の傾斜方向Ｗにおける枠体１２０の縦枠部１４ａ側とは反対側の端部において保持部５３が傾斜方向Ｗにおける枠体１２０の縦枠部１４ａ側とは反対側に突出している。
【０１２３】
保持部５３は、桟部材３００の左右方向Ｘにおける両外面３００ｆ，３００ｆ（図１３参照）を保持する第１保持部５３１（図１７及び図１８参照）と、桟部材３００における上面３００ａを保持する第２保持部５３２（図１７及び図１８参照）と、第２保持部５３２を規制部５２に連結する連結部５３３（図１７及び図１８参照）とを有している。
【０１２４】
第２保持部５３２の左右方向Ｘにおける両端部には、第１保持部５３１が傾斜方向Ｗの全体に亘って下側に直角又は略直角にそれぞれ立設されている。
【０１２５】
保持部５３は、第１保持部５３１，５３１間の左右方向Ｘのサイズｄ７（図１８（ａ）参照）が桟部材３００の左右方向Ｘのサイズｄ８（図１１参照）よりも第１保持部５３１が桟部材３００の両外面３００ｆ，３００ｆに接触しつつ挿通できる程度に所定の寸法だけ大きくなっている。連結部５３３は、左右方向Ｘのサイズｄ９（図１８（ａ）参照）が挟持本体部５１の左右方向Ｘのサイズｄ５と同一又は略同一サイズとなっている。挟持本体部５１、規制部５２及び連結部５３３は、厚みが同一又は略同一のものとされており、平面から視て略Ｈ字形状を有している。
【０１２６】
規制部５２は、傾斜方向Ｗにおけるサイズ、すなわち挟持本体部５１と連結部５３３との間の隙間ｄ１０（図１８（ａ）参照）が第１挟持部材４０における位置決め部４２の厚みよりも位置決め部４２が挟持本体部５１と連結部５３３との間に円滑に挿通できる程度に所定の寸法だけ大きくなっている。
【０１２７】
なお、規制部５２及び保持部５３が設けられた第２挟持部材５０は、鉄、ステンレス鋼、アルミニュウム等の金属板を切断加工及び曲げ加工により形成したものとされている。
【０１２８】
＜太陽電池モジュールの設置方法について＞
次に、本実施の形態に係る太陽電池モジュール１００の設置方法について図１９から図２１を参照しながら以下に説明する。
【０１２９】
図１９から図２１は、それぞれ、本実施の形態に係る太陽電池モジュール１００の設置方法の第１工程から第３工程を示す斜視図である。
【０１３０】
本実施の形態に係る太陽電池モジュール１００の設置方法は、太陽電池モジュール本体１１０に枠体１２０が保持された状態の太陽電池モジュール１００を桟部材３００に設置するにあたり、次の第１工程から第３工程を含んでいる。
【０１３１】
（第１工程）
第１工程では、図１９に示すように、第１挟持部材４０を桟部材３００の底面３００ｂに設ける。この例では、係止部４３を上部に設けた４つの位置決め部４２〜４２を４つの第１挿通孔部３００ｄ１〜３００ｄ１にそれぞれ桟部材３００における上板３０１の底面３００ｂ側から上側に向けて挿通し、さらに、係止部４３と挟持本体部４１との間に係合部３０３を挿通しながら第１挟持部材４０を傾斜方向Ｗの下側に向けて移行させ、係止部４３を係合部３０３に係止させる。これにより、第１挟持部材４０を桟部材３００にぶら下げた状態にすることができる。このとき、第１挟持部材４０における雄ネジ部貫通孔４０ａと桟部材３００における雄ネジ部貫通孔３００ｃとを合わせる。
【０１３２】
（第２工程）
第２工程では、図２０に示すように、枠体１２０を桟部材３００の第１挟持部材４０を設けた部分の上面３００ａに載置し、第２挟持部材５０を枠体１２０の桟部材３００に載置した部分の上面１２０ａに設ける。この例では、第１挟持部材４０における左右方向Ｘに沿った２つの位置決め部４２，４２の間に第２挟持部材５０における挟持本体部５１と保持部５３との間に設けられた規制部５２を下側に向けて通過させる。
【０１３３】
（第３工程）
第３工程では、図２１に示すように、固定部材６０を第１挟持部材４０側から第１挟持部材４０、桟部材３００及び枠体１２０を間にして第２挟持部材５０に締結する。この例では、第１挟持部材４０における雄ネジ部貫通孔４０ａ（図１９参照）及び桟部材３００における雄ネジ部貫通孔３００ｃ（図１９参照）に枠体１２０のフランジ部１４ｂにおける雄ネジ部貫通孔１２０ｃ（図２０参照）を合わせながら下側から固定部材６０における雄ネジ部６１を、雄ネジ部貫通孔４０ａ，３００ｃ，１２０ｃに挿通し、第２挟持部材５０における雌ネジ孔５０ａ（図２０及び図２１参照）に螺合させながら、第２挟持部材５０における雌ネジ孔５０ａに締め付ける。
【０１３４】
かくして、太陽電池モジュール１００における枠体１２０を土台２００に固定された桟部材３００に固定することができる。
【０１３５】
［第２実施形態］
第１実施形態では、桟部材３００を前後方向Ｙに平行又は略平行に配設し、太陽電池モジュール１００の設置構造で用いられる枠体を上枠１２３及び下枠１２４としたが、桟部材３００を左右方向Ｘに平行又は略平行に配設し（桟部材３００を横桟とし）、太陽電池モジュール１００の設置構造で用いられる枠体を左枠１２１及び右枠１２２としてもよい。
【０１３６】
図２２は、桟部材３００を左右方向Ｘに平行又は略平行に配設し、太陽電池モジュール１００の設置構造で用いられる枠体を左枠１２１及び右枠１２２とした場合での隣り合う太陽電池モジュール１００，１００の設置構造の一部断面を含む側面図である。
【０１３７】
図２２に示すように、第２実施形態では、固定部材６０が、第１挟持部材４０側から、第１挟持部材４０、桟部材３００及び枠体１２０（左枠１２１及び右枠１２２）を間にして第２挟持部材５０に締結されることにより、桟部材３００及び枠体１２０（左枠１２１及び右枠１２２）を第１挟持部材４０及び第２挟持部材５０の間に挟持して固定している。
【０１３８】
太陽光発電システム５００の左右方向Ｘの両端における太陽電池モジュール１００，１００において隣に太陽電池モジュール１００が存在しない場合での太陽電池モジュール１００の設置構造は、図２２に示す設置構造において、片方の太陽電池モジュール１００、片方の第２挟持部材５０及び片方の固定部材６０を除去した設置構造である。
【０１３９】
その他の構成は、第１実施形態の構成と実質的に同じであり、ここでは、説明を省略する。
【０１４０】
［第３実施形態］
第１実施形態及び第２実施形態では、左枠１２１及び右枠１２２が太陽電池モジュール本体１１０の受光面１１０ａを保持し、上枠１２３及び下枠１２４が太陽電池モジュール本体１１０の受光面１１０ａを保持しないようにしたが、上枠１２３及び下枠１２４が、左枠１２１及び右枠１２２と同様、太陽電池モジュール本体１１０の受光面１１０ａを保持するようにしてもよい。
【０１４１】
図２３は、上枠１２３及び下枠１２４が太陽電池モジュール本体１１０の受光面１１０ａを保持する場合での隣り合う太陽電池モジュール１００，１００の設置構造の一部断面を含む側面図である。なお、図２３では、太陽電池モジュール１００の設置構造で用いられる枠体を上枠１２３及び下枠１２４とした例を示している。
【０１４２】
図２３に示すように、第３実施形態では、上枠１２３は、太陽電池モジュール本体１１０の受光面１１０ａの短手方向Ｔにおける一端の縁部、裏面１１０ｂの短手方向Ｔにおける一端の縁部及び第３側面１１０ｅを保持する。下枠１２４は、太陽電池モジュール本体１１０の受光面１１０ａの短手方向Ｔにおける他端の縁部、裏面１１０ｂの短手方向Ｔにおける他端の縁部及び第４側面１１０ｆを保持する。上枠１２３及び下枠１２４は、太陽電池モジュール本体１１０が弾性体２０を介して嵌入されることにより、太陽電池モジュール本体１１０に取り付けられている。
【０１４３】
太陽光発電システム５００の傾斜方向Ｗの両端における太陽電池モジュール１００，１００において隣に太陽電池モジュール１００が存在しない場合での太陽電池モジュール１００の設置構造は、図２３に示す設置構造において、片方の太陽電池モジュール１００、片方の第２挟持部材５０及び片方の固定部材６０を除去した設置構造である。
【０１４４】
その他の構成は、第１実施形態の構成と実質的に同じであり、ここでは、説明を省略する。
【０１４５】
［第４実施形態］
第１実施形態から第３実施形態では、上枠１２３及び下枠１２４を左枠１２１及び右枠１２２よりも長くして太陽電池モジュール１００を横モジュール形状にしたが、上枠１２３及び下枠１２４を左枠１２１及び右枠１２２よりも短くして太陽電池モジュール１００を縦モジュール形状にしてもよい。また、それに限定されるものではなく、太陽電池モジュール１００を何れのモジュール形状にしてもよい。
【０１４６】
＜本実施の形態について＞
本実施の形態に係る太陽電池モジュール１００の設置構造及び太陽光発電システム５００によれば、第１挟持部材４０及び第２挟持部材５０は、枠体１２０が載置される桟部材３００及び枠体１２０を桟部材３００及び枠体１２０の互いに対向する面３００ａ，１２０ｂとは反対側の面３００ｂ，１２０ａからそれぞれ挟持し、固定部材６０は、桟部材３００側に設けられた第１挟持部材４０側から（すなわち桟部材３００の下方から）、第１挟持部材４０、桟部材３００及び枠体１２０を間にして枠体１２０側に設けられた第２挟持部材５０に締結されることにより、桟部材３００及び枠体１２０を第１挟持部材４０及び第２挟持部材５０の間に挟持して固定するので、また、本発明に係る太陽電池モジュールの設置方法によれば、第１挟持部材４０を桟部材３００の底面３００ｂに設け、枠体１２０を桟部材３００の第１挟持部材４０を設けた部分の上面３００ａに載置し、第２挟持部材５０を枠体１２０の桟部材３００に載置した部分の上面１２０ａに設け、固定部材６０を第１挟持部材４０側から（すなわち桟部材３００の下方から）第１挟持部材４０、桟部材３００及び枠体１２０を間にして第２挟持部材５０に締結するので、それだけ桟部材３００の下方からの太陽電池モジュール１００の固定作業を軽減でき、従って、太陽電池モジュール１００を設置するにあたり、桟部材３００の下方から簡単かつ容易に太陽電池モジュール１００の固定作業を行うことができ、これにより、桟部材３００の下方から太陽電池モジュール１００の固定作業を行う場合において、太陽電池モジュール１００の設置作業の作業性及び作業効率を向上させることが可能となる。
【０１４７】
しかも、太陽電池モジュール１００をそのまま桟部材３００に固定しても、従来の如く、桟部材の上方から太陽電池モジュールを固定するのではなく、桟部材３００の下方から太陽電池モジュール１００を固定するので、太陽電池モジュール１００の設置構造の簡単化かつ設置作業の容易化を実現させることができる。
【０１４８】
本実施の形態では、第１挟持部材４０には、桟部材３００に対して枠体１２０の位置を位置決めする位置決め部４２が設けられ、桟部材３００には、位置決め部４２を貫通する位置決め部貫通孔３００ｄが設けられ、第１挟持部材４０は、位置決め部４２が桟部材３００における位置決め部貫通孔３００ｄを貫通して枠体１２０に当接することにより、桟部材３００に対する枠体１２０の位置を位置決めすることで、桟部材３００に対向して枠体１２０を位置決めした状態で桟部材３００及び枠体１２０を第１挟持部材４０及び第２挟持部材５０の間に挟持することができる。
【０１４９】
また、本実施の形態では、桟部材３００には、位置決め部４２の位置決め部貫通孔３００ｄからの落下を防止するための係合部３０３が設けられ、第１挟持部材４０における位置決め部４２には、桟部材３００における係合部３０３に係止される係止部４３が設けられることで、太陽電池モジュール１００の固定作業の間、第１挟持部材４０における係止部４３を桟部材３００における係合部３０３に係止して第１挟持部材４０を桟部材３００にぶら下げておくことができ、従って、第１挟持部材４０を桟部材３００の底面３００ｂに設けた状態で、作業者が第１挟持部材４０を把持していなくても、第１挟持部材４０が桟部材３００から落下することを効果的に防止することができ、これにより、桟部材３００の下方からの太陽電池モジュール１００の固定作業のさらなる容易化を実現させることができる。
【０１５０】
また、本実施の形態では、固定部材６０は、雄ネジ部６１を有し、第１挟持部材４０、桟部材３００及び枠体１２０には、何れも固定部材６０における雄ネジ部６１を貫通する雄ネジ部貫通孔４０ａ，３００ｃ，１２０ｃが設けられ、第２挟持部材５０には、固定部材６０における雄ネジ部６１と螺合する雌ネジ孔５０ａが設けられ、固定部材６０は、第１挟持部材４０側から、雄ネジ部６１が第１挟持部材４０、桟部材３００及び枠体１２０における雄ネジ部貫通孔４０ａ，３００ｃ，１２０ｃを貫通して第２挟持部材５０における雌ネジ孔５０ａに締め付けられることにより、桟部材３００及び枠体１２０を第１挟持部材４０及び第２挟持部材５０の間に挟持して固定することで、固定部材６０として雄ネジ部６１を有するものを用いることができ、これにより、安価かつ簡単な構成でありながら、桟部材３００及び枠体１２０を第１挟持部材４０及び第２挟持部材５０の間に確実に固定することができる。
【０１５１】
また、本実施の形態では、第１挟持部材４０には、固定部材６０における雄ネジ部６１の回転方向Ｃにおける枠体１２０の位置を位置決めする位置決め部４２が設けられ、桟部材３００には、位置決め部４２を貫通する位置決め部貫通孔３００ｄが設けられ、第１挟持部材４０は、位置決め部４２が桟部材３００における位置決め部貫通孔３００ｄを貫通して枠体１２０に当接することにより、回転方向Ｃにおける枠体１２０の位置を位置決めすることで、回転方向Ｃにおいて枠体１２０を位置決めした状態で桟部材３００及び枠体１２０を第１挟持部材４０及び第２挟持部材５０の間に挟持することができる。
【０１５２】
また、本実施の形態では、第２挟持部材５０には、雌ネジ孔５０ａが固定部材６０における雄ネジ部６１と螺合することにより第２挟持部材５０の雄ネジ部６１との共回りによる回転を規制する規制部５２が設けられることで、固定部材６０における雄ネジ部６１を第２挟持部材５０における雌ネジ孔５０ａに螺合している間、第２挟持部材５０の雄ネジ部６１との共回りによる回転を規制しておくことができ、従って、第２挟持部材５０を枠体１２０の上面１２０ａに設けた状態で、作業者が第２挟持部材５０を把持していなくても、固定部材６０の回転と共に回転する第２挟持部材５０の共回りを効果的に防止することができ、これにより、桟部材３００の下方からの太陽電池モジュール１００の固定作業のより一層の容易化を実現させることができる。
【０１５３】
また、本実施の形態では、第２挟持部材５０における規制部５２は、第１挟持部材４０における位置決め部４２に係止されることで、第２挟持部材５０における規制部５２との係止部を第１挟持部材４０における位置決め部４２と兼用することができ、従って、枠体１２０及び／又は桟部材３００に新たに設ける必要がなく、これにより、枠体１２０及び／又は桟部材３００の構成を簡素化することができる。
【０１５４】
また、本実施の形態では、第２挟持部材５０には、桟部材３００を保持する保持部５３が設けられていることで、桟部材３００及び枠体１２０を第１挟持部材４０と共に安定的にかつ確実に固定することができる。
【０１５５】
また、本実施の形態では、太陽電池モジュール１００を複数並設する構成とされ、第１挟持部材４０は、隣り合う２つの太陽電池モジュール１００，１００における隣り合う２つの枠体１２０，１２０に桟部材３００を間にして跨がる単一の挟持部材とされ、第２挟持部材５０は、隣り合う２つの太陽電池モジュール１００，１００における隣り合う２つの枠体１２０，１２０にそれぞれ設けられる２つの挟持部材とされ、固定部材６０は、単一の第１挟持部材４０側から、単一の第１挟持部材４０、桟部材３００及び隣り合う２つの枠体１２０，１２０を間にして２つの第２挟持部材５０，５０にそれぞれ締結されることにより、桟部材３００及び隣り合う２つの枠体１２０，１２０を単一の第１挟持部材４０及び２つの第２挟持部材５０，５０の間にそれぞれ挟持して固定する２つの固定部材とされていることで、隣り合う２つの太陽電池モジュール１００，１００において、第１挟持部材４０を単一のものとすることができ、それだけ太陽電池モジュール１００の設置構造を簡素化することができる。
【０１５６】
ところで、太陽電池モジュール１００上に雪等の不要物が積もる場合には、太陽電池モジュール本体１１０の受光面１１０ａと枠体１２０との間の段差があると、雪等の不要物が、太陽電池モジュール本体１１０の受光面１１０ａと枠体１２０との間で引っかかり易く、太陽電池モジュール１００から滑落し難くなり、これにより、太陽電池モジュール本体１１０の受光面１１０ａ上に滞留し易くなる。そうすると、雪等の不要物によって太陽電池モジュール１００の発電量が低下したり、或いは／さらに、雪等の不要物の重みで太陽電池モジュール１００が破損したりするといった不都合を招く。
【０１５７】
この点、第１実施形態及び第２実施形態では、枠体１２０（枠体１２０を構成する各枠１２１〜１２４のうち、少なくとも高低差を有する枠、具体的には上枠１２３及び下枠１２４）は、太陽電池モジュール本体１１０を支持する第１枠部１３と、第１枠部１３を支持する第２枠部１４とを有し、第１枠部１３は、太陽電池モジュール本体１１０の側面（この例では第３側面１１０ｅ、第４側面１１０ｆ）及び裏面１１０ｂの少なくとも一部を保持する一方で太陽電池モジュール本体１１０の受光面１１０ａを保持しないように太陽電池モジュール本体１１０を支持することで、太陽電池モジュール本体１１０の受光面１１０ａと枠体１２０との間の段差を少なくする或いは無くすことができ、雪等の不要物を、太陽電池モジュール本体１１０の受光面１１０ａと枠体１２０との間で引っかかり難くすることができ、太陽電池モジュール１００から滑落し易くすることができ、これにより、太陽電池モジュール本体１１０の受光面１１０ａ上に滞留し難くすることができる。従って、雪等の不要物によって太陽電池モジュール１００の発電量が低下したり、或いは／さらに、雪等の不要物の重みで太陽電池モジュール１００が破損したりするといった不都合を抑制することができる。しかも、固定部材６０は、第１挟持部材４０側から（すなわち桟部材３００の下方から）、第１挟持部材４０、桟部材３００及び枠体１２０における第２枠部１４を間にして第２挟持部材５０に締結されることにより、桟部材３００及び枠体１２０における第２枠部１４を第１挟持部材４０及び第２挟持部材５０の間に挟持して固定することで、例えば、積雪量が比較的多い降雪地帯といった設置場所において積雪を踏まえて桟部材３００を固定する土台２００を高く（例えば作業者の背丈よりも高く）する場合、太陽電池モジュール１００を設置するにあたり、桟部材３００の上方から太陽電池モジュール１００の固定作業を行うとなると、太陽電池モジュール１００の設置作業の作業性及び作業効率が悪化するところ、本実施の形態では、既述のとおり、第１挟持部材４０側から（すなわち桟部材３００の下方から）、第１挟持部材４０、桟部材３００及び枠体１２０における第２枠部１４を間にして第２挟持部材５０に固定部材６０を締結することにより、桟部材３００の下方から太陽電池モジュール１００の固定作業を行う場合に、太陽電池モジュール１００の設置作業の作業性及び作業効率を向上させることができる。
【０１５８】
また、本実施の形態では、桟部材３００及び枠体１２０を太陽電池モジュール本体１１０の裏面１１０ｂ側で固定することで、桟部材３００及び枠体１２０の固定箇所を太陽電池モジュール本体１１０の外側にはみ出すことを回避でき、これにより、隣り合う太陽電池モジュール１００，１００間の隙間を少なくする或いは無くすことができる。この場合、桟部材３００の下方からの太陽電池モジュール１００の固定作業を強いられるが、本実施の形態では、既述のとおり、第１挟持部材４０側から（すなわち桟部材３００の下方から）、第１挟持部材４０、桟部材３００及び枠体１２０を間にして第２挟持部材５０に固定部材６０を締結することにより、桟部材３００の下方から太陽電池モジュール１００の固定作業を行う場合に、太陽電池モジュール１００の設置作業の作業性及び作業効率を向上させることができる。
【０１５９】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【０１６０】
１１        第１枠部
１１ａ      上片
１１ｂ      側片
１１ｃ      下片
１２        第２枠部
１２ａ      縦枠部
１２ａ１    雌ネジ孔部
１２ｂ      フランジ部
１３        第１枠部
１３ｂ      側片
１３ｃ      下片
１４        第２枠部
１４ａ      縦枠部
１４ｂ      フランジ部
１４ｂ１    端面
２０        弾性体
３０        接着層
４０        第１挟持部材
４０ａ      雄ネジ部貫通孔
４１        挟持本体部
４２        位置決め部
４３        係止部
４４        補強部
５０        第２挟持部材
５０ａ      雌ネジ孔
５１        挟持本体部
５２        規制部
５３        保持部
６０        固定部材
６１        雄ネジ部
１００      太陽電池モジュール
１００Ａ    太陽電池モジュール列
１１０      太陽電池モジュール本体
１１０ａ    受光面
１１０ｂ    裏面
１１０ｃ    第１側面
１１０ｄ    第２側面
１１０ｅ    第３側面
１１０ｆ    第４側面
１２０      枠体
１２０ａ    上面
１２０ｂ    底面
１２０ｃ    雄ネジ部貫通孔
１２１      左枠
１２２      右枠
１２３      上枠
１２４      下枠
２００      土台
２１０      嵩上部
２１１      支持台
２１２      脚部
２２０      傾斜部
２２１      中間部支柱レール
２２２      上側部支柱レール
３００      一旦桟部材
３００      桟部材
３００ａ    上面
３００ｂ    底面
３００ｃ    雄ネジ部貫通孔
３００ｄ    部貫通孔
３００ｄ１  第１挿通孔部
３００ｄ２  第２挿通孔部
３００ｅ    内面
３００ｆ    外面
３０１      上板
３０３      係合部
４００      架台
５００      太陽光発電システム
Ｎ          長手方向
Ｔ          短手方向
Ｗ          傾斜方向
Ｘ          左右方向
Ｙ          前後方向
【図１】
2016067153.tif 000003
【図２】
2016067153.tif 000004
【図３】
2016067153.tif 000005
【図４】
2016067153.tif 000006
【図５】
2016067153.tif 000007
【図６】
2016067153.tif 000008
【図７】
2016067153.tif 000009
【図８】
2016067153.tif 000010
【図９】
2016067153.tif 000011
【図１０】
2016067153.tif 000012
【図１１】
2016067153.tif 000013
【図１２】
2016067153.tif 000014
【図１３】
2016067153.tif 000015
【図１４】
2016067153.tif 000016
【図１５】
2016067153.tif 000017
【図１６】
2016067153.tif 000018
【図１７】
2016067153.tif 000019
【図１８】
2016067153.tif 000020
【図１９】
2016067153.tif 000021
【図２０】
2016067153.tif 000022
【図２１】
2016067153.tif 000023
【図２２】
2016067153.tif 000024
【図２３】
2016067153.tif 000025